(57)【要約】【課題】      メモリに録画可能な時間よりも長い放送時間の番組を追いかけ再生することができる移動体通信端末等を提供する。【解決手段】  移動体通信端末は、テレビ番組の受信中に通話が開始されたときにその録画の指示がなされると、テレビ番組の視聴を中断すると共にこの録画を開始する。その後、テレビ番組の放送終了前に通話が終了した場合、移動体通信端末は、テレビ番組の録画を継続しつつ、通話中に録画したテレビ番組を順次再生して行く追いかけ再生を開始する。この追いかけ再生中に記憶再生部の空き領域がなくなった場合、移動体通信端末は、テレビチューナ部からの供給データを再生済みデータの記憶領域に順次上書き保存して行くことでテレビ番組の録画を継続して実行する。この結果、移動体通信端末は、記憶再生部の録画可能時間よりも放送時間の長いテレビ番組を追いかけ再生することが可能となる。【選択図】    図６
2006245777.tif 000002
【特許請求の範囲】
【請求項１】
無線通信を行う無線通信手段と、
放送中の番組を受信して映像音声データを取得する映像音声データ取得手段と、
前記映像音声データを記憶可能なデータ記憶手段と、
前記番組の受信中に、前記無線通信手段による無線通信が開始されたことに応答して、前記映像音声データ取得手段によって取得した映像音声データを前記データ記憶手段に保存することにより行われる該番組の録画を開始する番組録画開始手段と、
前記番組の放送が終了したか否かを判別する放送終了判別手段と、
前記放送終了判別手段によって前記番組の放送が終了したと判別される以前に、前記無線通信手段による無線通信が終了した場合、該番組の録画を継続しつつ、前記データ記憶手段に記憶されている映像音声データに基づいて、無線通信中に録画した番組の再生を開始する番組再生開始手段と、
前記データ記憶手段に空き領域があるか否かを判別する空き領域判別手段と、
前記空き領域判別手段によって前記データ記憶手段に空き領域がないと判別された場合、該データ記憶手段の領域のうちで、再生済みの映像音声データが記憶されている領域に、前記映像音声データ取得手段によって取得された映像音声データを上書き保存して行くことにより、前記番組の録画を継続する番組録画継続手段と、
を備える移動体通信端末。
【請求項２】
前記放送終了判別手段によって前記番組の放送が終了したと判別される以前に、前記無線通信手段による無線通信が終了した場合、ユーザの選択に従い、無線通信中に録画した番組の再生を行うか否かを決定する番組再生決定手段をさらに備え、
前記番組再生決定手段によって番組の再生を行わない旨の決定がなされた場合、前記無線通信中に録画した番組の再生を開始することなく、該番組の録画を継続し、
前記番組再生開始手段は、
前記番組再生決定手段によって番組の再生を行わない旨の決定がなされた場合、前記番組の録画を継続しつつ、前記無線通信中に録画した番組の再生を開始する、
ことを特徴とする請求項１に記載の移動体通信端末。
【請求項３】
前記無線通信手段による無線通信が終了する以前に、前記放送終了判別手段によって前記番組の放送が終了したと判別された場合、該番組の録画を終了する番組録画終了手段をさらに備える、
ことを特徴とする請求項１又は２に記載の移動体通信端末。
【請求項４】
ユーザの選択に従い、前記番組録画開始手段によって開始された前記番組の録画終了タイミングを決定する録画終了タイミング決定手段をさらに備え、
前記番組録画終了手段は、
前記録画終了タイミング決定手段によって前記番組の放送終了時刻を前記録画終了タイミングとする旨の決定がなされた場合、前記放送終了判別手段によって該番組の放送が終了したと判別されたときに、該番組の録画を終了する、
ことを特徴とする請求項３に記載の移動体通信端末。
【請求項５】
前記データ記憶手段の空き領域の容量から番組を録画可能な時間を特定する録画可能時間特定手段と、
前記録画可能時間特定手段によって特定された番組の録画可能時間が所定の閾値以下になった場合、該録画可能時間に対応する警告音を出力する警告音出力手段と、
をさらに備える、
ことを特徴とする請求項１乃至４のいずれか１項に記載の移動体通信端末。
【請求項６】
データ記憶手段を備える移動体通信端末の番組録画方法であって、
無線通信を行う無線通信ステップと、
放送中の番組を受信して映像音声データを取得する映像音声データ取得ステップと、
前記番組の受信中に、前記無線通信ステップによる無線通信が開始されたことに応答して、前記映像音声データ取得ステップによって取得した映像音声データを前記データ記憶手段に保存することにより行われる該番組の録画を開始する番組録画開始ステップと、
前記番組の放送が終了したか否かを判別する放送終了判別ステップと、
前記放送終了判別ステップによって前記番組の放送が終了したと判別される以前に、前記無線通信ステップによる無線通信が終了した場合、該番組の録画を継続しつつ、前記データ記憶手段に記憶されている映像音声データに基づいて、無線通信中に録画した番組の再生を開始する番組再生開始ステップと、
前記データ記憶手段に空き領域があるか否かを判別する空き領域判別ステップと、
前記空き領域判別ステップによって前記データ記憶手段に空き領域がないと判別された場合、該データ記憶手段の領域のうちで、再生済みの映像音声データが記憶されている領域に、前記映像音声データ取得ステップによって取得された映像音声データを上書き保存して行くことにより、前記番組の録画を継続する番組録画継続ステップと、
を備えることを特徴とする番組録画方法。
【請求項７】
データ記憶手段を備える移動体通信端末のコンピュータに、
無線通信を行う無線通信手順と、
放送中の番組を受信して映像音声データを取得する映像音声データ取得手順と、
前記番組の受信中に、前記無線通信手順による無線通信が開始されたことに応答して、前記映像音声データ取得手順によって取得した映像音声データを前記データ記憶手段に保存することにより行われる該番組の録画を開始する番組録画開始手順と、
前記番組の放送が終了したか否かを判別する放送終了判別手順と、
前記放送終了判別手順によって前記番組の放送が終了したと判別される以前に、前記無線通信手順による無線通信が終了した場合、該番組の録画を継続しつつ、前記データ記憶手段に記憶されている映像音声データに基づいて、無線通信中に録画した番組の再生を開始する番組再生開始手順と、
前記データ記憶手段に空き領域があるか否かを判別する空き領域判別手順と、
前記空き領域判別手順によって前記データ記憶手段に空き領域がないと判別された場合、該データ記憶手段の領域のうちで、再生済みの映像音声データが記憶されている領域に、前記映像音声データ取得手順によって取得された映像音声データを上書き保存して行くことにより、前記番組の録画を継続する番組録画継続手順と、
を実行させるプログラム。
【発明の詳細な説明】
【技術分野】
【０００１】
本発明は、移動体通信端末、その番組録画方法及びプログラムに関し、特に、メモリに録画可能な時間よりも長い放送時間の番組を追いかけ再生することができる移動体通信端末、その番組録画放送及びプログラム移動体通信端末、その番組録画方法及びプログラムに関する。
【背景技術】
【０００２】
近年、携帯電話などの移動体通信端末は、単なる電話としての通話機能だけでなく、テレビジョン（以下単にテレビという）放送の視聴が可能なものもある。さらに、このようなテレビ放送の視聴が可能な移動体通信端末に、ＤＶＤ（Digital Versatile Disc）プレーヤ等の通常の録画装置が有する、いわゆる「追いかけ再生」機能を適用したものが開示されている（例えば特許文献１参照）。
【特許文献１】特開２００３−１１１００４号公報
【発明の開示】
【発明が解決しようとする課題】
【０００３】
しかしながら、移動体通信端末は、通常の録画装置に比べてそのメモリ容量が小さいため、「追いかけ再生」の実行にも限界があった。具体的には、通常の録画装置ならば「追いかけ再生」のできる放送時間のテレビ番組でも、移動体通信端末では、そのメモリ容量の制約のために、「追いかけ再生」ができないということもあった。
【０００４】
特許文献１に開示された技術においても、例えば内蔵メモリに録画可能な時間よりもテレビ番組の残り放送時間の方が長い場合など内蔵メモリの残量が十分でない場合には、「追いかけ再生」を実行することができなかった。
【０００５】
本発明は、上記実状に鑑みてなされたものであり、メモリに録画可能な時間よりも長い放送時間の番組を追いかけ再生することができる移動体通信端末、その番組録画放送及びプログラムを提供することを目的とする。
【課題を解決するための手段】
【０００６】
上記目的を達成するため、本発明の第１の観点に係る移動体通信端末は、無線通信を行う無線通信手段と、放送中の番組を受信して映像音声データを取得する映像音声データ取得手段と、前記映像音声データを記憶可能なデータ記憶手段と、前記番組の受信中に、前記無線通信手段による無線通信が開始されたことに応答して、前記映像音声データ取得手段によって取得した映像音声データを前記データ記憶手段に保存することにより行われる該番組の録画を開始する番組録画開始手段と、前記番組の放送が終了したか否かを判別する放送終了判別手段と、前記放送終了判別手段によって前記番組の放送が終了したと判別される以前に、前記無線通信手段による無線通信が終了した場合、該番組の録画を継続しつつ、前記データ記憶手段に記憶されている映像音声データに基づいて、無線通信中に録画した番組の再生を開始する番組再生開始手段と、前記データ記憶手段に空き領域があるか否かを判別する空き領域判別手段と、前記空き領域判別手段によって前記データ記憶手段に空き領域がないと判別された場合、該データ記憶手段の領域のうちで、再生済みの映像音声データが記憶されている領域に、前記映像音声データ取得手段によって取得された映像音声データを上書き保存して行くことにより、前記番組の録画を継続する番組録画継続手段と、を備える。
【０００７】
また、上記移動体通信端末において、前記放送終了判別手段によって前記番組の放送が終了したと判別される以前に、前記無線通信手段による無線通信が終了した場合、ユーザの選択に従い、前記無線通信中に録画した番組の再生を行うか否かを決定する番組再生決定手段をさらに備え、前記番組再生決定手段によって番組の再生を行わない旨の決定がなされた場合、無線通信中に録画した番組の再生を開始することなく、該番組の録画を継続し、前記番組再生開始手段は、前記番組再生決定手段によって番組の再生を行わない旨の決定がなされた場合、前記番組の録画を継続しつつ、前記無線通信中に録画した番組の再生を開始する、ようにしてもよい。
【０００８】
さらに、上記移動体通信端末において、前記無線通信手段による無線通信が終了する以前に、前記放送終了判別手段によって前記番組の放送が終了したと判別された場合、該番組の録画を終了する番組録画終了手段をさらに備える、ようにしてもよい。
【０００９】
また、上記移動体通信端末において、ユーザの選択に従い、前記番組録画開始手段によって開始された前記番組の録画終了タイミングを決定する録画終了タイミング決定手段をさらに備え、前記番組録画終了手段は、前記録画終了タイミング決定手段によって前記番組の放送終了時刻を前記録画終了タイミングとする旨の決定がなされた場合、前記放送終了判別手段によって該番組の放送が終了したと判別されたときに、該番組の録画を終了する、ようにしてもよい。
【００１０】
さらに、上記移動体通信端末において、前記データ記憶手段の空き領域の容量から番組を録画可能な時間を特定する録画可能時間特定手段と、前記録画可能時間特定手段によって特定された番組の録画可能時間が所定の閾値以下になった場合、該録画可能時間に対応する警告音を出力する警告音出力手段と、をさらに備える、ようにしてもよい。
【００１１】
また、本発明の第２の観点に係る番組録画方法は、データ記憶手段を備える移動体通信端末の番組録画方法であって、無線通信を行う無線通信ステップと、放送中の番組を受信して映像音声データを取得する映像音声データ取得ステップと、前記番組の受信中に、前記無線通信ステップによる無線通信が開始されたことに応答して、前記映像音声データ取得ステップによって取得した映像音声データを前記データ記憶手段に保存することにより行われる該番組の録画を開始する番組録画開始ステップと、前記番組の放送が終了したか否かを判別する放送終了判別ステップと、前記放送終了判別ステップによって前記番組の放送が終了したと判別される以前に、前記無線通信ステップによる無線通信が終了した場合、該番組の録画を継続しつつ、前記データ記憶手段に記憶されている映像音声データに基づいて、無線通信中に録画した番組の再生を開始する番組再生開始ステップと、前記データ記憶手段に空き領域があるか否かを判別する空き領域判別ステップと、前記空き領域判別ステップによって前記データ記憶手段に空き領域がないと判別された場合、該データ記憶手段の領域のうちで、再生済みの映像音声データが記憶されている領域に、前記映像音声データ取得ステップによって取得された映像音声データを上書き保存して行くことにより、前記番組の録画を継続する番組録画継続ステップと、を備えることを特徴とする。
【００１２】
さらに、本発明の第３の観点に係るプログラムは、データ記憶手段を備える移動体通信端末のコンピュータに、無線通信を行う無線通信手順と、放送中の番組を受信して映像音声データを取得する映像音声データ取得手順と、前記番組の受信中に、前記無線通信手順による無線通信が開始されたことに応答して、前記映像音声データ取得手順によって取得した映像音声データを前記データ記憶手段に保存することにより行われる該番組の録画を開始する番組録画開始手順と、前記番組の放送が終了したか否かを判別する放送終了判別手順と、前記放送終了判別手順によって前記番組の放送が終了したと判別される以前に、前記無線通信手順による無線通信が終了した場合、該番組の録画を継続しつつ、前記データ記憶手段に記憶されている映像音声データに基づいて、無線通信中に録画した番組の再生を開始する番組再生開始手順と、前記データ記憶手段に空き領域があるか否かを判別する空き領域判別手順と、前記空き領域判別手順によって前記データ記憶手段に空き領域がないと判別された場合、該データ記憶手段の領域のうちで、再生済みの映像音声データが記憶されている領域に、前記映像音声データ取得手順によって取得された映像音声データを上書き保存して行くことにより、前記番組の録画を継続する番組録画継続手順と、を実行させる。
【発明の効果】
【００１３】
本発明によれば、メモリに録画可能な時間よりも長い放送時間の番組を追いかけ再生することができる移動体通信端末、その番組録画放送及びプログラムを提供することができる。
【発明を実施するための最良の形態】
【００１４】
以下、本発明を実施するための最良の形態を詳細に説明する。
【００１５】
図１は、本発明の実施形態に係る移動体通信端末を中心としたシステム構成を示すブロック図である。なお、図１には、テレビジョン（以下、単にテレビと称す）放送局２及び無線基地局３も示されている。
【００１６】
移動体通信端末１は、携帯電話やＰＨＳ（Personal Handyphone System）等といった移動体通信用の端末装置（電話機）であって、無線基地局３を介して他の移動体通信端末１との間での無線通話を可能にする機能（無線通話機能）を有するものである。さらに、本実施形態の移動体通信端末１は、テレビ放送局２で放送されているテレビ番組の視聴を可能にする機能（テレビ番組視聴機能）を有している。
【００１７】
図２は、移動体通信端末１の構成例を示すブロック図である。移動体通信端末１は、図２に示すように、制御部１０と、アンテナ１１及び１４と、テレビチューナ部１２と、記憶再生部１３と、携帯電話部１５と、表示装置１６と、表示部１７と、入力操作部１８と、入力部１９と、スピーカ２０Ｌ及び２０Ｒと、マイクロフォン２１と、音声入出力部２２と、から構成されている。
【００１８】
制御部１０は、例えばＣＰＵ（Central Processing Unit）、ＲＯＭ（Read Only Memory）、及びＲＡＭ（Random Access Memory）等から構成されており、ＣＰＵがＲＯＭ等に記憶されている各種プログラムを適宜実行することによって、移動体通信端末１の各部の動作を制御する。なお、ＲＡＭは、ＣＰＵがプログラムを実行する際、ワークメモリとして用いられるものである。
【００１９】
アンテナ１１は、移動体通信端末１の外部から入力される電磁波をアナログ信号に変換してテレビチューナ部１２に供給するものである。
【００２０】
テレビチューナ部１２は、アンテナ１１より供給されるアナログ信号のうちから、ユーザにより選局されたチャンネルの周波数に同調する信号を抽出し、これをベースバンド信号に変換する。そして、テレビチューナ部１２は、このベースバンド信号からビデオデータと音声データと番組情報とを取得して出力する。これにより、テレビ放送局２で放送中のテレビ番組が受信される。
【００２１】
この番組情報は、例えば現在日時、視聴中のテレビ番組のチャンネル番号などを含んだデータである。出力されたビデオデータは、ビデオ信号として表示部１７に供給されると共に、音声データは、音声信号として音声入出力部２２に供給される。また、番組情報は、制御部１０に供給される。
【００２２】
記憶再生部１３は、例えばＳＤ（Secure Digital）メモリカード等から構成されており、ビデオデータ、音声データ及び番組情報等を記憶するためのものである。
【００２３】
アンテナ１４は、移動体通信端末１の外部から入力される電磁波をアナログ信号に変換して携帯電話部１５に供給すると共に、携帯電話部１５から供給される音声信号を電磁波に変換して空中に放射するものである。
【００２４】
携帯電話部１５は、アンテナ１１から供給されるアナログ信号に対して復調処理や、Ａ／Ｄ（Analog-Digital）変換処理、逆拡散処理、位相補正処理を施すなどしてデジタル方式の音声信号を取得し、これを音声入出力部２２に供給する。
【００２５】
また、携帯電話部１５は、音声入出力部２２から供給されるデジタル方式の音声信号にエラー訂正処理や、拡散処理、Ｄ／Ａ（Digital-Analog）変換処理及び変調処理を施すなどしてアナログ方式に変換した後、アンテナ１１を介して基地局３に送信する。
【００２６】
表示装置１６は、例えば液晶表示装置（ＬＣＤ：Liquid Crystal Display）等から構成されており、移動体通信端末１による種々の動作を実行するための画像等を表示するものである。
【００２７】
表示部１７は、テレビチューナ部１２や記憶再生部１３から供給されるビデオ信号にデコード処理を施した後、アナログ信号に変換して表示装置１６に出力するものである。これにより、表示装置１６には、テレビ放送局２から提供されるテレビ番組の画像等が表示される。
【００２８】
入力操作部１８は、例えば十字カーソルキーや、数字や文字を入力するための英数字キー、機能などを指定するためのボタン等から構成され、ユーザによって操作されるものである。入力部１９は、入力操作部１８における操作を認識して制御部１０に入力するものである。
【００２９】
スピーカ２０Ｌ及び２０Ｒは、音声通話における着話音声や、着信音、テレビ番組の音声などを出力するものである。マイクロフォン２１は、音声通話時のユーザの発話音声を入力するものである。
【００３０】
音声入出力部２２は、テレビチューナ部１２や携帯電話部１５から供給される音声信号に対してデコード処理を施した後、アナログ信号に変換してスピーカ２０Ｌ及び２０Ｒから出力するものである。これにより、スピーカ２０Ｌ及び２０Ｒからは、通話相手方の音声や、テレビ放送局２から提供されるテレビ番組の音声などが出力される。
【００３１】
また、音声入出力部２２は、マイクロフォン２１から入力される音声に対してＡ／Ｄ変換処理及びエンコード処理を順次施し、これにより得られた音声信号を携帯電話部１５に供給する。
【００３２】
次に、上記構成を備える移動体通信端末の具体的動作について説明する。
【００３３】
図３は、テレビ番組視聴状態における移動体通信端末の動作内容を示すフローチャートである。移動体通信端末１の制御部１０は、図４（Ａ）に示すように、テレビ番組視聴状態において（ステップＳ１０１）、他の移動体通信端末からの着信を受けると（ステップＳ１０２；Ｙｅｓ）、入力部１９からの入力をチェックして、ユーザが入力操作部１８にて通話を開始するための操作を行ったか否かを判別する（ステップＳ１０３）。
【００３４】
ステップＳ１０３の処理にて通話のための操作が行われなかったと判別した場合（ステップＳ１０３；Ｎｏ）、制御部１０は、通話を行わず、そのままテレビ番組の視聴を継続するものと判断して、ステップＳ１０１の処理に戻る。他方、ユーザにより通話のための操作が行われた場合には（ステップＳ１０３；Ｙｅｓ）、図４（Ｂ）に示すように、「録画」、「留守番」、「通話」からなる選択画面を表示装置１６に表示させる（ステップＳ１０４）。
【００３５】
ステップＳ１０４の処理にて表示された選択画面から、ユーザが「録画」を選択した場合（ステップＳ１０５；Ｙｅｓ）、制御部１０は、表示部１７及び音声入出力部２２を制御してテレビ番組の視聴を中断し（ステップＳ１０６）、このテレビ番組の録画を開始する共に（ステップＳ１０７）、携帯電話部１５を制御して通話を開始する（ステップＳ１０８）。
【００３６】
これにより、記憶再生部１３には、通話中、図５（Ａ）に示すように、テレビチューナ部１２にて取得されたビデオデータ、音声データ、及び番組情報が順次保存されて行く。
【００３７】
また、このとき、制御部１０は、記憶再生部１３の空き容量を記憶ビットレートで除算することにより、記憶再生部１３に録画可能な時間（録画可能時間）を算出する。そして、制御部１０は、この録画可能時間に対応するタイマ値を、ＲＡＭに予め設けられた録画時間タイマにタイマ初期値としてセットし、この録画時間タイマのカウントダウンを開始させる。
【００３８】
さらに、制御部１０は、視聴中のテレビ番組の終了時刻（番組終了時刻）の特定も行う。具体的には、テレビチューナ部１２から供給される番組情報に基づいて、視聴中のテレビ番組のチャンネル番号を特定し、このチャンネル番号に対応する電子番組表（ＥＰＧ：Electronic Program Guide）を、外部のＥＰＧサーバ等からネットワークを介して取得する。なお、制御部１０は、ＥＰＧサーバからダウンロードするなどして、ＥＰＧを予め移動体通信端末１内に保持しておいてもよい。そして、制御部１０は、取得したＥＰＧから、番組終了時刻を特定し、これをＲＡＭに予め設けられた番組終了時刻記憶領域に格納する。
【００３９】
また、通話中には（ステップＳ１０９；Ｎｏ）、録画警告処理が実行され（ステップＳ１１０）、スピーカ２０Ｌ及び２０Ｒからは、記憶再生部１３の空き領域に応じた所定の警告音が発せられる。この録画警告処理の詳細は後述する。
【００４０】
その後、ユーザにより入力操作部１８にて通話を終了するための操作がなされると（ステップＳ１０９；Ｙｅｓ）、制御部１０は、後述する録画再生処理を実行する（ステップＳ１１１）。
【００４１】
また、ステップＳ１０４の処理にて表示された選択画面から、ユーザが「留守番」を選択した場合（ステップＳ１０５；Ｎｏ、ステップＳ１１２；Ｙｅｓ）、制御部１０は、通話を行わずにテレビ番組の視聴を継続するものと判断して、現在電話に出ることができない旨及び伝言を受け付ける旨のメッセージを発信元の移動体通信端末に送信する。そして、制御部１０は、これに応答して発信元の移動体通信端末から発せられる伝言メッセージを録音する（ステップＳ１１３）。
【００４２】
具体的には、発信元の移動体通信端末からの音声データを受信して、これを移動体通信端末１内に設けられた所定の不揮発性メモリに保存する。その後、制御部１０は、ステップＳ１０１の処理に戻り、テレビ番組の視聴を継続する。
【００４３】
ところで、上述したステップＳ１０４の処理にて表示された選択画面から、ユーザが「通話」を選択したときには（ステップＳ１０５；Ｎｏ、ステップＳ１１２；Ｎｏ、ステップＳ１１４；Ｙｅｓ）、制御部１０は、テレビ番組の視聴を中断して（ステップＳ１１５）、通話を開始する（ステップＳ１１６）。そして、ユーザにより入力操作部１８にて通話を終了するための操作がなされると（ステップＳ１１７；Ｙｅｓ）、制御部１０は、ステップＳ１０１の処理に戻り、テレビ番組の視聴を再開する。
【００４４】
以上までがテレビ番組視聴状態における移動体通信端末の動作内容である。
【００４５】
次に、図３に示したステップＳ１１１において行われる録画再生処理について説明する。図６は録画再生処理の処理内容の詳細を示すフローチャートである。この録画再生処理において、制御部１０は、図６に示すように、まず、番組終了時刻記憶領域の記憶データから特定される番組終了時刻と現在の時刻とを比較して、この番組終了時刻になったか否かを判別する（ステップＳ２０１）。番組終了時刻になった場合には（ステップＳ２０１；Ｎｏ）、ステップＳ２０８の処理に進み、他方、未だ番組終了時刻になっていない場合には（ステップＳ２０１；Ｙｅｓ）、図７に示す選択画面を表示装置１６に表示させる（ステップＳ２０２）。
【００４６】
前述したステップＳ２０２の処理にて表示された選択画面から、ユーザが「はい（追いかけ再生）」を選択した場合（ステップＳ２０３；Ｙｅｓ）、図５（Ｂ）に示すように、通話中に録画したテレビ番組が録画開始時点から、制御部１０によって順次再生されると共に、現在放送中のテレビ番組の録画も、これに併行して行われる（ステップＳ２０４）。
【００４７】
また、この間、制御部１０は、随時、録画時間タイマのタイマ値をチェックして記憶再生部１３の空き領域の有無を判別する（ステップＳ２０５）。そして、図５（Ｃ）に示すように、記憶再生部１３の空き領域がなくなったと判別した場合（ステップＳ２０５；Ｙｅｓ）、制御部１０は、図５（Ｄ）〜（Ｆ）に示すように、テレビチューナ部１２から供給されるデータを、再生済みのデータが記憶されている領域に、その先頭から順次上書き保存して行くことで、現在放送中のテレビ番組の録画を継続する（ステップＳ２０６）。
【００４８】
その後、ユーザにより入力操作部１８にて録画を終了するための操作がなされると（ステップＳ２０７；Ｙｅｓ）、制御部１０は、テレビ番組の録画を終了すると共に（ステップＳ２０８）、録画したテレビ番組の再生を中断して、現在放送中のテレビ番組の視聴を再開する（ステップＳ２０９）。なお、ステップＳ２０９の処理において、制御部１０は、録画済みのテレビ番組の再生を継続し、全て再生した後に、現在放送中のテレビ番組の視聴を再開するようにしてもよい。
【００４９】
ところで、ステップＳ２０２の処理にて表示された選択画面から、ユーザが「再生せず」を選択したときには（ステップＳ２０３；Ｎｏ、ステップＳ２１０；Ｙｅｓ）、制御部１０は、追いかけ再生処理を実行しないものと判断して、現在放送中のテレビ番組の視聴を再開する（ステップＳ２１１）。
【００５０】
その後、ユーザにより入力操作部１８にて録画を終了するための操作がなされると（ステップＳ２１２；Ｙｅｓ）、制御部１０は、テレビ番組の録画を終了して（ステップＳ２１３）、録画再生処理を終了する。
【００５１】
他方、ステップＳ２０２の処理にて表示された選択画面から、ユーザが「番組終了で録画終了」を選択したときには（ステップＳ２０３；Ｎｏ、ステップＳ２１０；Ｎｏ、ステップＳ２１４；Ｙｅｓ）、制御部１０は、現在放送中のテレビ番組の終了と同時に録画を終了するものと判断して、このテレビ番組の視聴を再開する（ステップＳ２１５）。
【００５２】
そして、番組終了時刻になると（ステップＳ２１６）、制御部１０は、ステップＳ２１２の処理に進み、ユーザにより入力操作部１８にて録画を終了するための操作がなされるのを待つ。なお、このとき、制御部１０は、テレビ番組が終了した旨のメッセージを表示装置１６に表示させたり、スピーカ２０Ｌ及び２０Ｒから係る旨の音声を出力させたりして、入力操作部１８にて録画を終了するための操作を行うことをユーザに促すようにしてもよい。
【００５３】
その後、ユーザにより入力操作部１８にて録画を終了するための操作がなされると（ステップＳ２１２；Ｙｅｓ）、制御部１０は、テレビ番組の録画を終了して（ステップＳ２１３）、録画再生処理を終了する。
【００５４】
以上までがステップＳ１１１にて実行される録画再生処理である。
【００５５】
次に、図３に示したステップＳ１１０にて行われる録画警告処理について説明する。図８は録画警告処理の処理内容の詳細を示すフローチャートである。
この録画警告処理において、図８に示すように、まず、制御部１０は、録画時間タイマのタイマ値などから、記憶再生部１３に録画可能な残り時間（残り録画可能時間）ＴＲを特定する（ステップＳ３０１）。
【００５６】
ステップＳ３０１の処理にて特定した残り録画可能時間ＴＲが３分以上である場合には（ステップＳ３０２；Ｙｅｓ）、ステップＳ３０１の処理に戻る。その後、残り録画可能時間ＴＲが３分未満になると（ステップＳ３０２；Ｎｏ、ステップＳ３０３；Ｙｅｓ）、制御部１０は、スピーカ２０Ｌ及び２０Ｒから１回「ピッ」と鳴らす警告音（Ｂｅｅｐ音）が発せさせると共に（ステップＳ３０４）、表示装置１６に残り録画可能時間ＴＲを表示させてユーザに報知する（ステップＳ３０５）。
【００５７】
続いて、残り録画可能時間ＴＲが２分未満になると（ステップＳ３０２；Ｎｏ、ステップＳ３０３；Ｎｏ、ステップＳ３０６；Ｙｅｓ）、スピーカ２０Ｌ及び２０Ｒからは、「ピッピッ」と２回鳴らすＢｅｅｐ音が発せられ（ステップＳ３０７）、さらに、１分未満になると（ステップＳ３０２；Ｎｏ、ステップＳ３０３；Ｎｏ、ステップＳ３０６；Ｎｏ、ステップＳ３０８；Ｙｅｓ）、「ピッピッピッ」と３回鳴らすＢｅｅｐ音が発せられる（ステップＳ３０９）。ステップＳ３０７及びＳ３０９後も、制御部１０は、ステップＳ３０５の処理に進んで、表示装置１６に残り録画可能時間ＴＲを表示させる。
【００５８】
そして、残り録画可能時間ＴＲが５秒を切ると（ステップＳ３０３；Ｎｏ、ステップＳ３０６；Ｎｏ、ステップＳ３０８；Ｎｏ、ステップＳ３１０；Ｎｏ）、スピーカ２０Ｌ及び２０Ｒからは、「ピッピッピッピッ」と４回鳴らすＢｅｅｐ音が発せられる（ステップＳ３１１）。このときにも、制御部１０は、ステップＳ３０５の処理に進み、表示装置１６に残り録画可能時間ＴＲを表示させる。
【００５９】
以上までがステップＳ１１０にて実行される録画警告処理である。
【００６０】
以上説明したように、本実施形態の移動体通信端末１は、テレビ番組の受信中にユーザにより通話を開始するための操作がなされ、さらにテレビ番組の録画が指示された場合、テレビ番組の視聴を中断すると共に、このテレビ番組の録画を開始する。そして、テレビ番組の放送が終了する以前に、ユーザにより通話を終了するための操作がなされた場合には、放送中のテレビ番組の録画を継続しつつ、通話中に録画したテレビ番組を順次再生して行く追いかけ再生処理の実行が開始される。
【００６１】
こうして開始された追いかけ再生処理の実行中に、記憶再生部１３の空き領域がなくなったとき、移動体通信端末１は、テレビチューナ部１２から供給されるデータを、再生済みのデータが記憶されている領域に順次上書き保存して行くことにより、放送中のテレビ番組の録画を継続することができる。このようにすることで、移動体通信端末１は、記憶再生部１３の録画可能時間よりも放送時間の長いテレビ番組を追いかけ再生することができる。
【００６２】
また、本実施形態の移動体通信端末１は、テレビ番組の放送が終了する前に、ユーザにより通話を終了するための操作がなされた場合、ユーザの選択に従って、通話中に録画したテレビ番組を再生するか否かを決定したり、テレビ番組の録画終了タイミングを決定したりすることができるため、ユーザの要望に応じた録画処理及び再生処理の実行が可能となる。
【００６３】
さらに、本実施形態の移動体通信端末１は、通話を終了するための操作がなされる前に、テレビ番組の放送が終了した場合、ユーザにより録画を終了するための操作がなされなくても、このテレビ番組の録画を終了することができる。
【００６４】
また、本実施形態の移動体通信端末１は、記憶再生部１３に録画可能な残り時間（残り録画可能時間）が少なくなった場合、その残り録画可能時間に対応する警告音（Ｂｅｅｐ音）をスピーカ２０Ｌ及び２０Ｒから発することにより、残り録画可能時間が少なくなってきたことをユーザに報知することができる。
【００６５】
なお、本発明は、上記実施形態に限定されず、種々の変形、応用が可能である。以下、本発明に適用可能な上記実施形態の変形態様について、説明する。
【００６６】
上記実施の形態では、テレビ番組視聴状態における移動体通信端末１の動作を、他の移動体通信端末から着信を受けた場合を例に説明したが、本発明は、移動体通信端末１の側から発信する場合にも適用可能である。この場合、テレビ番組視聴状態において（ステップＳ１０１）、ユーザにより数字が入力されたとき、制御部１０は、例えばこの入力された数字をテレビ番組の画像に重ねて表示装置１６に表示させるなどし、その後、ユーザにより通話のための操作が行われたことに応答して（ステップＳ１０３；Ｙｅｓ）、図４（Ｂ）に示す選択画面を表示装置１６に表示させるようにすればよい（ステップＳ１０４）。
【００６７】
また、上記実施の形態において、制御部１０は、ステップＳ２０４の追いかけ再生処理を実行する場合、ステップＳ２０７の処理でユーザにより録画を終了するための操作がなされるまで、テレビ番組の録画を継続するものとして説明した。しかしながら、本発明はこれに限定されず、追いかけ再生処理を実行する場合においても、例えばステップＳ２０７の処理の前に、ステップＳ２１６の処理と同様の処理を実行するなどして、テレビ番組の終了時刻に録画を終了するようにしてもよい。このようにする場合には、図７に示す選択画面に、「追いかけ再生処理をし、番組終了で録画終了」といった第４の選択肢をさらに設けるようにすればよい。
【００６８】
さらに、上記実施形態において、制御部１０のＣＰＵが実行するプログラムは、予めＲＯＭ等に記憶されていた。しかしながら、本発明は、これに限定されず、上述の処理を実行させるためのプログラムを、既存の移動体通信端末に適用することで、上記実施形態にかかる移動体通信端末１として機能させるようにしてもよい。
【００６９】
このようなプログラムの提供方法は任意であり、例えば、インターネットなどの通信媒体を介して提供可能である他、例えば、メモリカードなどの記録媒体に格納して配布してもよい。
【図面の簡単な説明】
【００７０】
【図１】本発明の実施形態に係る移動体通信端末を中心としたシステム構成を示すブロック図である。
【図２】移動体通信端末の構成例を示すブロック図である
【図３】テレビ番組視聴状態における移動体通信端末の動作内容を示すフローチャートである。
【図４】（Ａ）は、テレビ番組の視聴中の画像表示例を示す図であり、（Ｂ）は、テレビ番組の視聴中に着信があった場合に表示される選択画面の画像表示例を示す図である。
【図５】図２に示す記憶再生部の記憶状態の変移を示すタイミングチャートである。
【図６】図３に示す録画再生処理の詳細を示すフローチャートである。
【図７】テレビ番組の録画中に通話が終了した場合に表示される選択画面の画像表示例を示す図である。
【図８】図３に示す録画警告処理の詳細を示すフローチャートである。
【符号の説明】
【００７１】
１…移動体通信端末、２…テレビ放送局、３…基地局、１０…制御部、１１…アンテナ、１２…テレビチューナ部、１３…記憶再生部、１４…アンテナ、１５…携帯電話部、１６…表示装置、１７…入力操作部、１８…入力操作部、１９…入力部、２０Ｌ，２０Ｒ…スピーカ、２１…マイクロフォン、２２…音声入出力部
【図１】
2006245777.tif 000003
【図２】
2006245777.tif 000004
【図３】
2006245777.tif 000005
【図４】
2006245777.tif 000006
【図５】
2006245777.tif 000007
【図６】
2006245777.tif 000008
【図７】
2006245777.tif 000009
【図８】
2006245777.tif 000010